【手続補正書】
【提出日】平成19年9月10日(2007.9.10)
【手続補正１】
【補正対象書類名】明細書
【補正対象項目名】発明の名称
【補正方法】変更
【補正の内容】
【発明の名称】情報端末、情報端末の制御方法、情報端末により実行されるプログラム、及び媒体
【手続補正２】
【補正対象書類名】明細書
【補正対象項目名】特許請求の範囲
【補正方法】変更
【補正の内容】
【特許請求の範囲】
【請求項１】  閲覧ソフトによりハイパーテキストを閲覧する情報端末であって、
前記ハイパーテキストを表示した画面上のカーソルの位置を指定する指定手段と、
前記指定手段により指定されたカーソルの位置がハイパーテキストのホットスポットが表示されている位置の場合は、該ホットスポットのリンクにジャンプし、前記指定手段により指定されたカーソルの位置が前記ホットスポットの位置でない場合は、前記閲覧ソフトを操作するためのボタンと該ボタンの表示領域とを表示し、前記カーソルが前記表示領域の外に移動すると、前記ボタンと前記表示領域の表示を非アクティブ化する表示制御手段と、
を有することを特徴とする情報端末。
【請求項２】  前記ボタンは、前記閲覧ソフトを操作するための複数のボタンにより構成され、各ボタンに対応する操作は、前記ボタンが指定されると実行されることを特徴とする請求項１に記載の情報端末。
【請求項３】  前記指定手段により指定された位置でのカーソルの形状は、前記ホットスポットの位置か否かにより変わることを特徴とする請求項１又は請求項２に記載の情報端末。
【請求項４】  前記カーソルは、前記ボタンの表示領域ではボタンを単位としてボタンからボタンに移動することを特徴とする請求項１乃至請求項３の何れかに記載の情報端末。
【請求項５】  前記カーソルは、前記ボタンの表示領域の外では、画素を単位として移動することを特徴とする請求項１乃至請求項４の何れかに記載の情報端末。
【請求項６】  前記ボタンは、画面をスクロールさせるためのボタン、履歴リストを表示させるためのボタン、履歴リストの中の１つ前又は１つ後のファイルを表示させるためのボタン、現在のＵＲＬを再読み込みさせるためのボタン、データ読み込みを停止させるためのボタン、初期のホームページを表示させるためのボタン、ブックマークの一覧を表示させるためのボタン、ＵＲＬを入力させるためのボタンの少なくとも１つを含むことを特徴とする請求項１乃至請求項５の何れかに記載の情報端末。
【請求項７】  前記表示制御手段は、前記ボタンと該ボタンの表示領域とを、前記指定手段による前記カーソルの指定位置の近傍に表示することを特徴とする請求項１乃至請求項６の何れかに記載の情報端末。
【請求項８】  閲覧ソフトによりハイパーテキストを閲覧する情報端末の制御方法であって、
前記ハイパーテキストを表示した画面上のカーソルの位置を指定する指定工程と、
前記指定工程において指定されたカーソルの位置に応じて、前記指定工程において指定されたカーソルの位置に対応するホットスポットのリンクにジャンプするか、前記閲覧ソフトを操作するためのボタンと該ボタンの表示領域とを表示するか、前記ボタンと前記表示領域との表示を非アクティブ化する表示制御工程と、
を有することを特徴とする情報端末の制御方法。
【請求項９】  前記表示制御工程において前記ボタンと該ボタンの表示領域とを表示する場合は、前記指定工程において指定された前記カーソルの位置の近傍に前記ボタンと該ボタンの表示領域とを表示することを特徴とする請求項８に記載の情報端末の制御方法。
【請求項１０】  前記ボタンは、前記閲覧ソフトを操作するための複数のボタンにより構成され、各ボタンに対応する操作は、前記ボタンが指定されると実行されることを特徴とする請求項８又は請求項８又は請求項９に記載の情報端末の制御方法。
【請求項１１】  前記カーソルの形状は、前記ホットスポットの位置か否かにより変わることを特徴とする請求項８乃至請求項１０の何れかに記載の情報端末の制御方法。
【請求項１２】  前記カーソルは、前記ボタンの表示領域ではボタンを単位としてボタンからボタンに移動することを特徴とする請求項８乃至請求項１１の何れかに記載の情報端末の制御方法。
【請求項１３】  前記カーソルは、前記ボタンの表示領域の外では、画素を単位として移動することを特徴とする請求項８乃至請求項１２の何れかに記載の情報端末の制御方法。
【請求項１４】  前記ボタンは、画面をスクロールさせるためのボタン、履歴リストを表示させるためのボタン、履歴リストの中の１つ前又は１つ後のファイルを表示させるためのボタン、現在のＵＲＬを再読み込みさせるためのボタン、データ読み込みを停止させるためのボタン、初期のホームページを表示させるためのボタン、ブックマークの一覧を表示させるためのボタン、ＵＲＬを入力させるためのボタンの少なくとも１つを含むことを特徴とする請求項８乃至請求項１３の何れかに記載の情報端末の制御方法。
【請求項１５】  閲覧ソフトによりハイパーテキストを閲覧する情報端末により実行されるプログラムであって、
前記ハイパーテキストを表示した画面上において指定されたカーソルの位置を判別する判別工程と、
前記判別工程において判別されたカーソルの位置に応じて、前記カーソルの位置に対応するホットスポットのリンクにジャンプするか、前記閲覧ソフトを操作するためのボタンと該ボタンの表示領域とを表示するか、前記ボタンと前記表示領域との表示を非アクティブ化する表示制御工程と、
を有することを特徴とするプログラム。
【請求項１６】  請求項１５に記載のプログラムをセットしたことを特徴とする媒体。
【手続補正３】
【補正対象書類名】明細書
【補正対象項目名】０００１
【補正方法】変更
【補正の内容】
【０００１】
【発明の属する技術分野】
本発明は、インターネットなどのネットワークに接続してＨＴＭＬ（Ｈｙｐｅｒ  Ｔｅｘｔ  Ｍａｒｋｕｐ  Ｌａｎｇｕａｇｅ）文書などのハイパーテキストを閲覧可能な情報端末に関する。
【手続補正４】
【補正対象書類名】明細書
【補正対象項目名】００１０
【補正方法】変更
【補正の内容】
【００１０】
本発明は、このような背景の下になされたもので、その課題は、パーソナルコンピュータ用に作成されたハイパーテキストを閲覧するための閲覧ソフトを簡単に操作することができるようにすることにある。
【手続補正５】
【補正対象書類名】明細書
【補正対象項目名】００１１
【補正方法】変更
【補正の内容】
【００１１】
【課題を解決するための手段】
上記課題を解決するため、本発明は、閲覧ソフトによりハイパーテキストを閲覧する情報端末であって、前記ハイパーテキストを表示した画面上のカーソルの位置を指定する指定手段と、前記指定手段により指定されたカーソルの位置がハイパーテキストのホットスポットが表示されている位置の場合は、該ホットスポットのリンクにジャンプし、前記指定手段により指定されたカーソルの位置が前記ホットスポットの位置でない場合は、前記閲覧ソフトを操作するためのボタンと該ボタンの表示領域とを表示し、前記カーソルが前記表示領域の外に移動すると、前記ボタンと前記表示領域の表示を非アクティブ化する表示制御手段と、を有することを特徴とする。
【手続補正６】
【補正対象書類名】明細書
【補正対象項目名】００１２
【補正方法】変更
【補正の内容】
【００１２】
また、本発明は、閲覧ソフトによりハイパーテキストを閲覧する情報端末の制御方法であって、前記ハイパーテキストを表示した画面上のカーソルの位置を指定する指定工程と、前記指定工程において指定されたカーソルの位置に応じて、前記指定工程において指定されたカーソルの位置に対応するホットスポットのリンクにジャンプするか、前記閲覧ソフトを操作するためのボタンと該ボタンの表示領域とを表示するか、前記ボタンと前記表示領域との表示を非アクティブ化する表示制御工程と、を有することを特徴とする。
【手続補正７】
【補正対象書類名】明細書
【補正対象項目名】００１３
【補正方法】変更
【補正の内容】
【００１３】
また、本発明は、閲覧ソフトによりハイパーテキストを閲覧する情報端末により実行されるプログラムであって、前記ハイパーテキストを表示した画面上において指定されたカーソルの位置を判別する判別工程と、前記判別工程において判別されたカーソルの位置に応じて、前記カーソルの位置に対応するホットスポットのリンクにジャンプするか、前記閲覧ソフトを操作するためのボタンと該ボタンの表示領域とを表示するか、前記ボタンと前記表示領域との表示を非アクティブ化する表示制御工程と、を有することを特徴とする。
【手続補正８】
【補正対象書類名】明細書
【補正対象項目名】００１４
【補正方法】変更
【補正の内容】
【００１４】
また、本発明に係る媒体は、上記プログラムをセットしたことを特徴とする。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００７９
【補正方法】変更
【補正の内容】
【００７９】
【発明の効果】
以上説明したように、本発明によれば、情報端末において、パーソナルコンピュータ用に作成されたハイパーテキストを閲覧するための閲覧ソフトを簡単に操作することが可能となる。